(57)【特許請求の範囲】
【請求項１】
背面の上下方向に沿って補強材が取着されたパネルを、上端部を固定して壁面に沿って取り付けるようにしたパネル取付構造であって、
前記補強材には、上下動自在に構成された移動部と、該移動部が上方に移動する勢力を蓄積した状態で前記移動部を移動禁止状態に保持する保持部と、該移動禁止状態を解除する解除操作部とが設けられている一方、前記壁面の上端には、前記移動部の上端を係止する係止部が設けられており、
前記解除操作部が前記壁面との接触により操作されると、前記移動部の上端が前記係止部に係止されて前記パネル上端が固定されることを特徴とするパネル取付構造。
【請求項２】
請求項１において、
前記補強材は凹溝部を有し、該凹溝部に、前記移動部と、コイルばねとが内装されており、
前記保持部は、前記コイルばねを前記移動部に対して上向きに付勢するように、前記移動部を保持していることを特徴とするパネル取付構造。
【請求項３】
請求項２において、
前記移動部は、前記壁面側に突出した係止爪を備えている一方、前記保持部は、前記補強材の凹溝部の開口の一部を前記コイルばねを隠すように覆うカバー材を有し、該カバー材には、前記係止爪を係止する係止凹部が形成されており、
前記解除操作部は、前記移動部から前記壁面に向けて突出するように形成された突起よりなり、該突起が押圧されて前記係止爪の係止が解除される構成となっていることを特徴とするパネル取付構造。
【請求項４】
請求項１〜３のいずれか１項において、
前記移動部には、前記補強材の隣接パネル側の側方に突出したレバー部が延設されており、
前記レバー部を下方に移動操作することで、前記移動部が下方に移動して、前記係止部との係止状態が解除されることを特徴とするパネル取付構造。
【発明の詳細な説明】
【技術分野】
【０００１】
本発明は、壁面にパネルを取り付けるようにしたパネル取付構造に関する。
【背景技術】
【０００２】
従来には、この種のパネル取付構造として種々のものが提案されており、たとえば特許文献１が挙げられる。
【０００３】
特許文献１には、壁面に対してパネルを押圧することにより、パネルの背面が壁面に係止、固定されるパネル取付構造が記載されている。
【先行技術文献】
【特許文献】
【０００４】
【特許文献１】特開２０１２−７３８３号公報
【発明の概要】
【発明が解決しようとする課題】
【０００５】
ところで、近時、壁面へ後付けするパネルにおいて、パネルの反り等の変形を防止するために、パネルの両側端部の背面に、パネルの上下方向に沿って補強材を取り付けることが実施されている。
【０００６】
しかしながら、このような補強構造のパネルの取り付けにおいては、特許文献１に示したような、簡単な操作で壁面へのパネルの取り付けができるパネル取付構造は提案されておらず、簡易な構造でそのようなパネル取付構造が実現されることが望まれていた。
【０００７】
本発明は、このような事情を考慮して提案されたもので、その目的は、簡単な操作でパネルを壁面に取り付けできるパネル取付構造を提供することにある。
【課題を解決するための手段】
【０００８】
上記目的を達成するために、本発明に係るパネル取付構造は、背面の上下方向に沿って補強材が取着されたパネルを、上端部を固定して壁面に沿って取り付けるようにしたパネル取付構造であって、補強材には、上下動自在に構成された移動部と、移動部が上方に移動する勢力を蓄積した状態で移動部を移動禁止状態に保持する保持部と、移動禁止状態を解除する解除操作部とが設けられている一方、壁面の上端には、移動部の上端を係止する係止部が設けられており、解除操作部が壁面との接触により操作されると、移動部の上端が係止部に係止されてパネル上端が固定されることを特徴とする。
【０００９】
本発明において、補強材は凹溝部を有し、その凹溝部に、移動部と、コイルばねとが内装され、保持部が、コイルばねを移動部との間で、上向きに付勢するように移動部を保持するようにしてもよい。
【００１０】
また本発明において、移動部は、壁面側に突出した係止爪を備えている一方、保持部は、補強材の凹溝部の開口の一部をコイルばねを隠すように覆うカバー材を有し、カバー材には、係止爪を係止する係止凹部が形成されるようにしてもよく、解除操作部は、移動部から壁面に向けて突出するように形成された突起よりなり、突起が押圧されて係止爪の係止が解除される構成としてもよい。
【００１１】
さらに本発明において、移動部には、補強材の隣接パネル側の側方に突出したレバー部が延設され、レバー部を下方に移動操作することで、移動部が下方に移動して、係止部との係止状態が解除されるようにしてもよい。
【発明の効果】
【００１２】
本発明に係るパネル取付構造によれば、上述のような構成としたことで、補強材付きのパネルを簡単な操作で壁面に取り付けできる。
【図面の簡単な説明】
【００１３】
【図１】（ａ）は本発明の一実施形態に係るパネル取付構造のパネル背面側より見た分解斜視図である。（ｂ）は（ａ）において１点鎖線で囲んだ部分の拡大斜視図である。（ｃ）は解除操作部の操作による移動部の動作を示す部分拡大縦断面図である。
【図２】（ａ）はパネル取付構造の横断面図である。（ｂ）（ｃ）は要部拡大横断面図である。
【図３】パネル取付構造の部分斜視図であり、（ａ）は移動部が移動禁止状態にある状態（パネル取り付け前の状態）を示す図、（ｂ）は移動部の移動が解除された状態（パネルが係止された状態）を示す図である。
【図４】パネル取付構造の概略部分縦断面図であり、（ａ）は移動部が移動禁止状態にある状態（パネル取り付け前の状態）を示す図、（ｂ）は移動部の移動が解除された状態（パネルが係止された状態）を示す図である。
【図５】隣設される両パネルのパネル取付構造の横断面図である。
【図６】パネルの取付構成を示す分解斜視図および部分拡大斜視図である。
【発明を実施するための形態】
【００１４】
以下に、本発明に係るパネル取付構造の実施形態について、添付図面を参照しながら説明する。なお、以下の実施形態における前後方向は、パネルの前面側を前、背面側（壁面側）を後として規定した方向である。
【００１５】
本実施形態では、図６に示すように、壁面２（図２参照）に沿って並設されるパネル１は、その上部と下部とが壁面２に固定した上部横胴縁３と下部横胴縁４に取り付けられて固定される構造となっている。なお、上部においてはパネル１の表面側にさらに上部カバー５が取り付けられる。
【００１６】
本実施形態に係るパネル取付構造は、このように上下を固定して壁面２に取り付けられるパネル１の取付構造として適用され、特に上部横胴縁３に対するパネル１の上端部１ｂの取付構造に関するものとして適用される。
【００１７】
上部横胴縁３は、金属等の板状体でレール状に形成されており、その取付部３ａが天井に固定されている。取付部３ａの幅方向の略中央より垂下した垂下片３ｂの前面にパネル１の上部が面接触するように配され、垂下片３ｂの後方に設けた、板片を折曲形成してなる凹溝（係止部３ｃ）に、後述する補強材１０に取り付けられたスライダー２０（移動部）の上端が嵌合して係止されるようになっている。
【００１８】
また、下部横胴縁４は断面Ｌ字状であり、その横設片４ａでパネルを受けて、起立片４ｂでパネル１を前方より押さえるように固定する構成となっている。
【００１９】
パネル１は、木質材等より製されている。パネル１の背面の両側端部１ａ、１ａには、上下方向に沿って補強材１０、１０が取着されている。
【００２０】
補強材１０は、パネル１の撓みや反りによる変形を防止するための補強材料であり、ステンレス等の金属材、硬質の合成樹脂材等よりなる。補強材１０は、パネル１の両側端部１ａ、１ａの背面に上下方向に沿って、パネル１の略全高に対して取り付けられている。
【００２１】
補強材１０は、壁面２に向けて突出した本体部１１と、その本体部１１の側方に配された凹溝体１３と、パネル１の背面に固定される板状の取付片部１２とを有し、これらが連成一体化された構造となっている。
【００２２】
補強材１０は、図２（ａ）に示すように、取付片部１２の内片１２ｂがビス等でパネル１に固定される構成となっている。図例では、パネル補強材１０のパネル１への固着は、取付片部１２の内片１２ｂをビス止めするようにしてあるが、さらに外片１２ａをパネル１に接着するようにしてもよい。なお、図１、図２および図５における符号１２ｂａは、内片１２ｂの幅方向の中央に上下方向に走るビス取付溝である。
【００２３】
本体部１１は、中空の角筒体により強固に形成されてなり、パネル１が壁面２に取り付けられると、本体部１１の後端面が壁面２に接触あるいは近接する構成、形状となっている。
【００２４】
凹溝体１３は、二重底よりなる底部１３ｂと、一方の側壁１３ｃが本体部１１で共有された両側壁１３ｃ、１３ｃとを有し、それらによって囲まれた凹溝部１３ａを有した構造となっている。両側壁１３ｃ、１３ｃの開口側の端部には、後述するカバー材３０を取り付けるためのレール片１３ｄ、１３ｄが形成されている。なお、両レール片１３ｄ、１３ｄは凹溝部１３ａの開口を塞ぐように突出しており、パネル１の側端部１ａ側の側壁１３ｃに設けたレール片１３ｄは外方にも突出している。
【００２５】
また、取付片部１２の外片１２ａと、凹溝体１３の底部１３ｂ（外底部）との間には上下方向に連通した凹所１４が形成されている。この凹所１４は、相互に隣設される両パネル１、１（図５参照）を連結するための連結具（不図示）を装着するための空間として形成されている。
【００２６】
このような補強材１０には、パネル１の上端部１ｂを上部横胴縁３に固定するために、つぎに説明するスライダー２０、コイルばね４０、カバー材３０が取り付けられている。
【００２７】
スライダー２０（移動部）は、補強材１０の凹溝部１３ａに、上下動自在に内装されている。また、カバー材３０は、凹溝部１３ａの開口の一部を塞ぐように補強材１０に固定されている。
【００２８】
カバー材３０は、スライダー２０が凹溝部１３ａの長手方向に沿って上方に移動する勢力を蓄積した状態で、スライダー２０を移動禁止状態に保持する保持部を構成する。カバー材３０の上部には保持凹部３１を有し、下部には補強材１０にビス止めにて固定するための固定部３２を有している。なお、図例の保持凹部３１は貫通孔で構成されているが、後述するスライダー２０の係止爪２４を引っ掛け止めできる程度の凹部（穴）であってもよい。
【００２９】
このカバー材３０の両側端面には、凹溝体１３の両側壁１３ｃ、１３ｃに形成されたレール片１３ｄに係合する細溝３３が形成されている。カバー材３０は、凹溝体１３の上端より、レール片１３ｄに細溝３３を差し込んで係合した状態で下方にスライドさせながら取り付けできるようになっている。
【００３０】
また、カバー材３０は補強材１０の適正な位置で固定されている。カバー材３０を補強材１０に取り付けた状態では、カバー材３０の固定部３２は凹溝部１３ａ内に溝を遮断するように配される。
【００３１】
凹溝部１３ａ内では、カバー材３０の固定部３２と、スライダー２０の下端との間にコイルばね４０が介装されている。また、カバー材３０がスライダー２０を移動禁止状態に保持しているときには、コイルばね４０はスライダー２０に対して上向きに付勢力が作用する。なお、上向きの付勢手段としては、コイルばね４０に限られず、他の弾性部材を用いてもよいし、他の構造であってもよい。
【００３２】
スライダー２０は角柱体よりなる。また、スライダー２０は凹溝部１３ａ内をスムーズに、かつぐらつきなく移動できるようにするために、凹溝部１３ａの深さ寸法よりもやや小さい厚みに形成することが望ましい。また、スライダー２０の幅寸法は凹溝部１３ａの幅寸法よりもやや小とし、凹溝部１３ａの開口の幅寸法よりも大となっている。凹溝部１３ａの開口はレール片１３ｄ、１３ｄにより狭められているので、内装されたスライダー２０の落下を防止することができる。
【００３３】
スライダー２０は、その本体２１の上部の背面にレバー部２５を有し、中央部に、前後方向に弾性揺動できるように形成されたばね片状の弾性部２２を有している。弾性部２２の背面には、弾性部２２の弾性動作にしたがって同様に前後方向に移動する２つの突出片を備えている。これらの突出片は、凹溝部１３ａ内に内装されたスライダー２０の背面から、凹溝部１３ａの開口を介して後方に（壁面２に向けて）突出している。
【００３４】
上方の突出片は、後述するレバー部２５、下方の突出片、補強材１０の本体部１１のいずれよりも壁面２に向けて大きく突出し、さらにカバー材３０の厚み寸法よりも大きい寸法となっている。この突出片は、パネル１を壁面２に取り付ける際に壁面２と当接し、壁面２より押圧操作されて弾性部２２を前方側に撓ませるための操作部（突起、解除操作部２３）を構成している。
【００３５】
また下方の突出片は、弾性部１１の下端に形成されており、カバー材３０の保持凹部３１に係合できる係止爪２４を構成している。なお、この係止爪２４の下部には保持凹部３１に係止しやすくするための傾斜ガイド面が形成されている。
【００３６】
スライダー２０は、コイルばね４０が圧縮した状態で、係止爪２４がカバー材３０の保持凹部３１に係合、係止されることで、上方に移動する勢力を蓄積した状態で、移動禁止状態に保持される。この状態では、スライダー２０のほぼ全体が凹溝部１３ａ内に収容されており、つまりスライダー２０の上端は補強材１０の上端とほぼ同高さに位置している。このようにスライダー２０が移動禁止状態にあるときに、解除操作部２３を前方に押圧すると、弾性部２２が前方に撓んで、保持凹部３１による係止爪２４の係止が解除され（図１（ｃ）参照）、スライダー２０が上方に移動する。
【００３７】
なお、凹溝体１３にスライダー２０、コイルばね４０、カバー材３０を装着した状態では、移動禁止状態、解除状態のいずれにもかかわらずコイルばね４０の後方部はカバー材３０で塞がれている（図４（ａ）（ｂ）参照）。そのため、スライダー２０、コイルばね４０、カバー材３０を補強材１０に取り付けた状態でパネル１を運搬するような場合でも、コイルばね４０が外れて凹溝１３ａの開口より飛び出すことはない。
【００３８】
このような補強材１０に設けたスライダー２０、コイルばね４０、カバー材３０の協働による作用によってパネル１の上端部１ｂを壁面２に固定することができる。以下、パネル１の取り付けの詳細について説明する。
【００３９】
補強材１０付きのパネル１は、補強材１０を壁面２に向けた状態にして取り付けされる（図４（ａ）およびこの図に対応した図３（ａ）参照）。なお、図４においては、説明の都合上、補強材１０を２点鎖線で図示している。
【００４０】
より具体的には、床面に固定された下部横胴縁４の起立片４ｂの内側にパネル１の下端前面を接触させるようにパネル１の下端を位置合わせし、その状態でパネル１を壁面２に向けて押し付けるようにする（図４（ａ）参照）。
【００４１】
そして、パネル１の上端部１ｂが上部横同縁３の垂下片３ｂの前面に当たると同時に、パネル１の背面側で後方に突出した解除操作部２３が壁面２に当たる。解除操作部２３が壁面２に当たると、スライダー２０の弾性部２２が前方に撓み、それと同時に係止爪２４も前方に移動する。具体的には、弾性部２２（係止爪２４）は、縦断面においては図１（ｃ）のごとく変位し、保持凹部３１における横断面においては図２（ｂ）の状態から図２（ｃ）の状態へと変位する。
【００４２】
係止爪２４が前方に変位すると、係止爪２４と、カバー材３０の保持凹部３１との係止が解除され（図１（ｃ）の右図および図２（ｂ）参照）、それによってコイルばね４０が復帰しようとする。
【００４３】
コイルばね４０の復帰動作によってスライダー２０が上方に移動し、スライダー２０の上端が補強材１０の凹溝部１３ａの上端開口より飛び出して、上部横胴縁３に形成された凹溝状の係止部３ｃに嵌合し係止される。この係止によってパネル１の上端部１ｂは壁面２に固定される。そして、さらに上部カバー５がパネル１の上端部１ｂを覆うように取り付けられる。なお、スライダー２０の上端が係止部３ｃに係止された状態でも、コイルばね４０が上方に付勢した状態であることが望ましい。
【００４４】
また、本例では、図４（ｂ）に示すように、弾性部２２が撓んだ状態（解除操作部２３が押圧されて少し凹んだ状態）を維持した状態でスライダー２０が移動するようになっているが、弾性部２２が復帰した状態で移動する構成としてもよい。
【００４５】
なお、スライダー２０の上端が確実に係止部３ｃに嵌まり込むように、係止部３ｃの前後方向の寸法は、図４（ａ）（ｂ）に示すようにスライダー２０の厚みよりもやや大とすることが望ましい。
【００４６】
本パネル取付構造は、以上のように壁面２からの押圧により解除操作部２３が操作されてスライダー２０が係止部３ｃに係止される構成となっている。そのため、パネル１を前方より壁面２に押し付けるだけの簡単な操作でパネル１の上端部１ｂを壁面２（上部横胴縁３）に固定することができる。特に、固定しにくいパネル１の上端部１ｂの固定を、脚立を用いずにパネル１を押し付けるだけでできるので、利便性は高い。
【００４７】
しかも、本実施形態のパネル取付構造は、スライダー２０（移動部）を補強材１０の凹溝部１３ａに収容させ、凹溝部１３ａをスライダー２０の移動路として利用できる構成としており、パネル１の背面に取り付けた補強材１０を有効に活用することができる。
【００４８】
また、このパネル取付構造はコイルばね４０を用いた構成であるため、簡易な構造でパネル取付構造を実現できる。また、スライダー２０の移動禁止状態の保持は、スライダー２０に設けた係止爪２４と、カバー材３０の保持凹部３１との係止によりなされる構成であるため、さらに簡易な構造でパネル取付構造を実現できる。
【００４９】
本実施形態では、係止部３ｃに係止される移動部としてスライダー２０を例示し、移動部を移動禁止状態に保持する保持部として保持凹部３１を有したカバー材３０を例示し、移動禁止状態を解除する解除操作部２３として突起を例示したが、他の種々の構成であってもよい。
【００５０】
つぎに、スライダー２０（移動部）の上部に設けたレバー部２５について図５を参照しながら説明する。
【００５１】
このレバー部２５はスライダー２０と一体となっており、それを下方に押し下げることで、同時にスライダー２０が押し下げられ、スライダー２０と係止部３ｃとの係止が解除されてパネル１の取り外しが可能な状態となる。さらにレバー部２５を押し下げると、コイルばね４０がさらに圧縮し、スライダー２０の係止爪２４がカバー材３０の保持凹部３１に係止されて、スライダー２０は移動禁止状態となる。
【００５２】
このレバー部２５は、図５に示すように、パネル１の側端部１ａ、補強材１０の凹溝体１３よりもさらに外方（パネル１の側端よりも外側）に、パネル１の側端部１ａ側の側壁１３ｃに設けたレール片１３ｄを幅方向より挟み込むように鉤状片が突出している。この鉤状片が操作部２５ａを構成する。
【００５３】
パネル１は隣接のパネル１と目地空隙Ｓを介して並設されており、目地（不図示）が取り付けられていない状態では、隣接する両パネル１、１のレバー部２５、２５の操作部２５ａ、２５ａは目地空隙Ｓを介して前方正面から視認できる位置にある。すなわち、パネル１を取り外すにときには、目地を外し、前方より目地空隙Ｓに手指を挿入してレバー部２５の操作部２５ａを押し下げ操作して、係止爪２４を下方に移動させてカバー材３０の保持凹部３１に係止させるようにすればよい。
【００５４】
このように、レバー部２５が目地空隙Ｓを介してパネル１の正面より視認できる位置に配されているので、これを押し下げ操作して簡単にパネル１を取り外すことができる。また、両パネル１、１のレバー部材２５、２５の操作部２５ａ、２５ａが近接した状態にあるので両パネル１の上端係止をいちどに解除することができる。
【符号の説明】
【００５５】
１        パネル
１ａ      側端部
１ｂ      上端部
２        壁面
３ｃ      係止部
１０      補強材
１３      凹溝体
１３ａ    凹溝部
２０      スライダー（移動部）
２３      解除操作部
２４      係止爪
２５      レバー部
２５ａ    操作部
３０      カバー材（保持部）
３１      保持凹部
３２      固定部
３３      細溝
４０      コイルばね
【図１】
0005857230.tif 000002
【図２】
0005857230.tif 000003
【図３】
0005857230.tif 000004
【図４】
0005857230.tif 000005
【図５】
0005857230.tif 000006
【図６】
0005857230.tif 000007